(57)【要約】      （修正有）【課題】旋向式の快速なコネクタジョイント構造を提供する。【解決手段】側連式の主殻体１、回路板２、軟性回路板３、端子台４、オス、或いは、メスジョイント５、尾旋部６、ケーブルカバー７、及び、両側の鎖定素子８からなる。側連式の主殻体１は、上殻体１１と下殻体１２を有し、且つ、両殻体１１，１２は、横向けの連接壁が連接し、回路板２、軟性回路板３、端子台４、オス、或いは、メスジョイント５、及び、両側の鎖定素子８が、主殻体１内部に配置される。後向けの尾旋部６は、上下尾旋部殻体６１，６２を嵌合してなる中空枢軸６３を、主殻体１尾部の凹置空間の枢槽１３内に枢設する。上下殻体１１，１２の非連接壁のもう一側と後向けの凹置空間の前壁１４は、鞘１１１を有し、下殻体１２が設ける鞘槽１２１に対応し、両殻体１１，１２は嵌合後、定位固定功能を形成する。【選択図】図２
0003144594.tif 000002
【実用新案登録請求の範囲】
【請求項１】
コネクタジョイントであって、主に、側連式の主殻体、回路板、軟性回路板、端子台、オス、或いは、メスジョイント、尾旋部、ケーブルカバー、及び、両側の鎖定素子からなり、
側連式の主殻体は、上、下殻体を有し、非連接壁のもう一側と後向けの凹置空間の前壁は、鞘を有し、前記下殻体が設ける鞘槽に対応し、前記両殻体が嵌合し、前記回路板、前記軟性回路板、前記端子台、前記オス、或いは、メスジョイントと両側鎖定螺棒の局部を内に設置し、      前記尾旋部は、上下尾旋部殻体を嵌合してなる枢軸により、前記主殻体尾部の凹置空間と枢槽内に枢合して、０〜１８０度の角度をなし、コネクタジョイント主体を構成し、
次に、前記尾線部ないに、ケーブルを配置するケーブルカバーを設置し、前記ケーブルは前記ケーブルカバーから、分岐した岐線が、前記尾線部殻体の左右の中空枢軸から前記主殻体内に通入し、前記端子台と結合し、
この他、前記端子台、前記オス、或いは、メスジョイント、前記回路板と前記軟性回路板の四者は、溶接により連結性の素子を形成し、且つ、前記回路板前向けに、前記軟性回路板を延出し、前記軟性回路板と前記オス、或いは、メスジョイントの各ピンは溶接され、前記軟性回路板が９０度に湾曲して、前記オス、或いは、メスジョイントの方向を変化させ、
前記端子台は、前後の様態で、前記回路板上に溶接され、前記オス、或いは、メスジョイントの後向け位置に対応し、横向けの配置設計により、後向けの端子台面は斜向面を呈し、且つ、各端子台は、外側向けの配線孔を有し、前記の各配線孔は、鎖結素子に対応し、この鎖結素子により、各配線孔の分岐線が、鎖結されることを特徴とするコネクタジョイント。
【請求項２】
前記オス、或いは、メスジョイントは両側に、鎖定螺棒を設置して、螺固することを特徴とする請求項１に記載のコネクタジョイント。
【請求項３】
前記端子台は、一組、或いは、一組以上設置することを特徴とする請求項１に記載のコネクタジョイント。
【考案の詳細な説明】
【技術分野】
【０００１】
本考案は、コネクタジョイント構造に関するものであって、特に、旋向式の快速なコネクタジョイント構造に関するものである。
【背景技術】
【０００２】
公知のコネクタジョイント、或いは、データコネクタジョイント技術において、長期に渡り、精密度と加工等の問題を重要視し、高い歩留まりを達成している。しかし、この種の製品は、端子とパッケージ技術の大幅な向上により、既に、普及した商品であるが、実用性から見ると、大きな変化や技術開発の向上が見られず、単なる連接のためのものになっている。  
【考案の開示】
【考案が解決しようとする課題】
【０００３】
本考案の目的は、上述の問題を解決するコネクタジョイント構造を提供することにある。
【課題を解決するための手段】
【０００４】
本考案によるコネクタジョイント構造は、「データ用コネクタジョイント」に用いるもので、オスコネクタとメスコネクタの二種の規格を有し、データ連接と線体の延接の二種の功能を達成する。よって、形式と規格上、両オスコネクタジョイント、両メスコネクタジョイント、オス、メスコネクタジョイント、或いは、オスコネクタジョイントは、特有のコネクタジョイント、及び、メスコネクタジョイントは特有のコネクタジョイントを有する等、本考案の設計によるコネクタにより、方向調整が可能で、線長さが変更できる二大目的を達成する。
【考案の効果】
【０００５】
本考案のコネクタジョイント構造は、以下のような効果を達成する。１．枢合式ケーブル旋向設計の理念により、信号コネクタジョイントの方向調整が可能で、この種のコネクタジョイントは、高等な方向調整使用機能を有する。また、方向調整機能の範囲は０度〜１８０度で、よって、コネクタジョイントとケーブルが、最適な方向調整を達成する。２．機動性と快速性の配線能力により、コネクタジョイントの交換とケーブル長さの変更が可能で、不適用の基準によるコネクタとケーブルを受け入れる必要がなく、効果的に、コネクタがケーブルが過長、過短なことにより絡まる、使用できないといった問題を解決する。
【考案を実施するための最良の形態】
【０００６】
図１を参照すると、本考案のコネクタジョイント（１０）の外観構造は公知のものと相同で、同様に、オス部、或いは、メス部（５）を連接物上に挿入し、両側の鎖定素子（８）により固定する。
【０００７】
図２を参照すると、本考案のコネクタジョイント（１０）の全体構造は、側連式の主殻体（１）、回路板（２）、軟性回路板（３）、端子台（４）、オス、或いは、メスジョイント（５）、尾旋部（６）、ケーブルカバー（７）、及び、両側の鎖定素子（８）からなる。側連式の主殻体（１）（図２では、側連部分が分離している）は、上殻体（１１）と下殻体（１２）を有し、且つ、両殻体（１１）（１２）は、横向けの連接壁が連接し、回路板（２）、軟性回路板（３）、端子台（４）、オス、或いは、メスジョイント（５）、及び、両側の鎖定素子（８）が、主殻体（１）内部に配置される。後向けの尾旋部（６）は、上下尾旋部殻体（６１）（６２）を嵌合してなる中空枢軸（６３）を、主殻体（１）尾部の凹置空間の枢槽（１３）内に枢設し、本考案のコネクタジョイント（１０）の主体を構成する。
【０００８】
次に、上下殻体（１１）（１２）の非連接壁のもう一側と後向けの凹置空間の前壁（１４）は、鞘（１１１）を有し（図５で示される）、下殻体（１２）が設ける鞘槽（１２１）に対応し、両殻体（１１、１２）は嵌合後、定位固定功能を形成する。この他、ケーブル（A）をしっかりと固定するため、上下尾旋部殻体（６１）（６２）内に、ケーブルカバー（７）を設置して、ケーブル（A）を封合する。
【０００９】
図２で示されるように、ケーブル（A）は、ケーブルカバー（７）を経て、尾旋部殻体（６１）（６２）で結合し、枝分かれする岐線（A１）は、尾旋部殻体（６１）（６２）により、左右の中空の枢軸（６３）と主殻体（１）内に進入し、岐線（A１）が端子台（４）に配置される。
【００１０】
図３、図６、及び、図７を参照すると、前述の尾旋部（６）は、上下尾旋部殻体（６１）（６２）を嵌合してなり、内にケーブルカバー（７）を設置する以外に、主殻体（１）尾部の凹置空間内に対応して置入し、上下尾旋部殻体（６１）（６２）が嵌合してなる左右中間の枢軸（６３）により、主殻体（１）尾部の凹置空間の左右枢槽（１３）内に枢合して、コネクタジョイント（１０）がケーブル（Ａ）と０〜１８０度の角度をなす。
【００１１】
図４を参照すると、本考案のコネクタジョイント（１０）内部に設置された端子台（４）、オス、或いは、メスジョイント（５）、回路板（２）と軟性回路板（３）の四者は、溶接により連結する素子である。回路板（２）前向けに、軟性の回路板（３）を延出し、軟性回路板（３）とオス、或いは、メスジョイント（５）の各ピンを溶接し、軟性回路板（３）を９０度に湾曲させて、オス、或いは、メスジョイントの方向を変更して、コネクタの上下殻体（１１）（１２）内に装着しやすい。次に、端子台（４）は、前後の形態で、回路板（２）上方に溶接され、オス、或いは、メスジョイント（５）の後ろ位置に対応し、横向け設計を採用する。図２を参照すると、端子台（４）の前向き端子台（４１）は、台面に設置された配線孔（４１１）を外側向けにし、後ろ端子台（４２）台面に設けられた配線孔（４２１）は外向きである以外に、斜向面を呈し、配線と線固定の実施時、障害空間がない。また、各端子台（４１）（４２）台面に設けられた配線孔（４１１）（４２１）は、鎖結素子（４１２）（４２２）にそれぞれ対応し、鎖結素子（４１２）（４２２）により螺固され、配線孔（４１１）（４２１）内のケーブル（Ａ）の岐線が快速に鎖結、配線される。
【００１２】
図３、図４を参照すると、オス、或いは、メスジョイント（５）は回路板（２）最前向き位置にあり、端部は、オス、或いは、メスジョイントで、その両側は、鎖定する螺棒（８）を有する。実施方式は、図６、図７で示されるように、尾旋部（６）を旋向させるだけで、方向調整できる。
【００１３】
最後に、端子台（４）は、コネクタジョイント（１０）の規格、大小に応じて、一組、或いは、それ以上の端子台（４）を設置し、配線の要求に符合する。
【図面の簡単な説明】
【００１４】
【図１】本考案の好ましい具体例による外観立体図である。
【図２】本考案の各部素子の分解構造図である。
【図３】本考案の平面構造図である。
【図４】本考案の端子台、オス、或いは、メスジョイント、回路板、軟性回路板の四者が構成する連結性素子の平面構造図である。
【図５】本考案の全体断面構造図である。
【図６】本考案の方向調整実施例を示す図（１）である。
【図７】本考案の方向調整実施例を示す図（２）である。
【符号の説明】
【００１５】
主殻体（１）
回路板（２）
軟性回路板（３）
端子台（４）
オス、或いは、メスジョイント（５）
尾旋部（６）
ケーブルカバー（７）
鎖定素子（８）
コネクタジョイント（１０）
上殻体（１１）と下殻体（１２）
枢槽（１３）
前壁（１４）
端子台（４１）（４２）
上下尾旋部殻体（６１）（６２）
中空枢軸（６３）
鞘（１１１）
鞘槽（１２１）
ケーブル（A）
岐線（A１）
配線孔（４１１）（４２１）
鎖結素子（４１２）（４２２）
【図１】
0003144594.tif 000003
【図２】
0003144594.tif 000004
【図３】
0003144594.tif 000005
【図４】
0003144594.tif 000006
【図５】
0003144594.tif 000007
【図６】
0003144594.tif 000008
【図７】
0003144594.tif 000009